(57)【要約】【課題】ハンドル装置を扉パネルにワンタッチ装着して取付作業の大幅な向上を図る。【解決手段】ケース２を、所定の剛性及び弾性を有するエンジニアリングプラスチックにより成形して、ケース２の周面にケース２の背面側から取付用開口６０内となる所定の位置に立ち上がり、この位置からフランジ２１１側で取付用開口６０外となる所定の位置に向けて延び、先端に係合部２８を有するケースロック部材２７を形成し、ケース２を開口６０に挿入することにより、開口６０の縁部をケースロック部材２７の先端で係合部２８とフランジ２１１との間に挟持して、ケースロック部材２７の反力により固定する。【選択図】図６
2010013860.tif 000002
【特許請求の範囲】
【請求項１】
正面に開口を有し、正面の外周にフランジを有するケースと、前記ケース内に前記ケースに対して起伏回動可能に装着されるハンドルと、前記ケースの背面側に回転可能に軸支されるとともに前記ハンドルに作動連結されて、前記ハンドルの操作により、ボックス本体などの固定枠体側の受け金に対して係脱可能な止め金とを備え、扉パネルに取付用開口を形成し、当該取付用開口に前記ケースを前記ケースの背面側から挿入するとともに、前記ケースのフランジを前記扉パネルの正面側で前記取付用開口の縁部周囲に当接させて取り付け固定するハンドル装置において、
前記ケースは、所定の剛性及び弾性を有するエンジニアリングプラスチックにより成形されて、
前記ケースの周面をなす相互に対向する面にそれぞれ、
前記ケースの背面側から前記取付用開口内の所定の位置に立ち上がり、さらに当該位置から前記フランジ側で前記取付用開口外の所定の位置に向けて延び、先端に前記取付用開口の縁部に係止可能な断面略Ｌ字形の係合部を有するケースロック部材が形成され、
前記ケースを前記取付用開口に挿入し、前記ケースのフランジを前記取付用開口の縁部周囲に当接させることにより、前記ケースロック部材が前記取付用開口の縁部により加圧変形されるとともに、前記取付用開口の縁部が前記ケースロック部材の先端で前記略Ｌ字形の係合部と前記フランジとの間に挟持され、この状態が、前記ケースロック部材の前記取付用開口に対する反力により固定される、
ことを特徴とするハンドル装置。
【請求項２】
ケースロック部材の先端に、複数の断面略Ｌ字形の係合部が略階段状に連続して形成され、ケースが取付用開口に固定されるときの前記各係合部の立ち上がり部とフランジとの間に、扉パネルの異なる複数の厚さに対応する寸法が設定される請求項１に記載のハンドル装置。
【請求項３】
ハンドルは、ケースに前記ケースから所定の起立位置まで突出回動可能に取り付けられ、前記ケースに前記ハンドルの回動端が係脱可能に設けられた押しボタン式のストッパーにより、前記ケース内の所定の倒伏位置に保持される請求項１又は２に記載のハンドル装置。
【発明の詳細な説明】
【技術分野】
【０００１】
本発明は、配電盤や制御盤などの機器格納用キャビネットなどに使用されるハンドル装置に関し、特に、扉パネルに固着されるケースに対してハンドルが起伏回動可能に装着され、ハンドルの所定の起立位置への突出回動により、又は突出回動後のハンドルの回転操作により、ケースの背面側に配置されハンドルに作動連結された止め金がボックス本体などの固定枠体側の受け金から離脱される形式のハンドル装置に関する。
【背景技術】
【０００２】
従来、この種のハンドル装置を扉パネルに取り付ける場合、扉パネルにハンドル装置のケースの取付用開口を形成するとともに、その両端部の近接した部位にねじ孔や透孔を穿設し、当該取付用開口にケースを埋め込んだ後、扉パネルの正面側から、ビスをケ−スの透孔より扉パネルのねじ孔にねじ込むか、扉パネルの背面側から、ビスを扉パネルの透孔より本体ケ−スのねじ孔にねじ込むことによって、扉パネルに取り付けている。また、このようなハンドル装置の取り付けでは、扉パネルにケ−スの取付用開口と、この開口の両端部に近接してねじ孔や透孔を設ける必要があり、このため孔開け加工をしなければならい上、ビス止めの際に扉パネルの正面側からハンドル装置を取付位置に押えていなければならないなど、取付作業の能率が悪いことから、ケースの正面端部に外周縁が扉パネルの正面に当接する正面板を設け、この正面板の背面側に固定用のブロックをねじにより取り付けて、ハンドル装置を、ケースの正面板と固定用のブロックとの間に扉パネルの取付用開口の縁部を挟み込んでねじの締め込みにより固定するようにしたものも一般に使用されている。このようにハンドル装置の扉パネルへの取り付けでは、ねじを用いた取り付け方式が主流になっている。なお、この種のハンドル装置及びその取付構造については、特許文献１などに記載されている。
【０００３】
【特許文献１】特開平９−５３３４６号公報
【発明の開示】
【発明が解決しようとする課題】
【０００４】
しかしながら、従来のハンドル装置では、上述のとおり、ケースを扉パネルに取り付ける場合に、ねじを使用するため、ねじをねじ孔に差し込み、締め込む作業が必要で、作業が煩雑にならざるを得ない、という問題がある。
【０００５】
本発明は、このような従来の問題を解決するもので、この種のハンドル装置において、ケースを扉パネルにねじを使用することなしに、ワンタッチ装着することができ、取付作業の大幅な向上を図ること、を目的とする。
【課題を解決するための手段】
【０００６】
上記目的を達成するために、本発明のハンドル装置は、正面に開口を有し、正面の外周にフランジを有するケースと、前記ケース内に前記ケースに対して起伏回動可能に装着されるハンドルと、前記ケースの背面側に回転可能に軸支されるとともに前記ハンドルに作動連結されて、前記ハンドルの操作により、ボックス本体などの固定枠体側の受け金に対して係脱可能な止め金とを備え、扉パネルに取付用開口を形成し、当該取付用開口に前記ケースを前記ケースの背面側から挿入するとともに、前記ケースのフランジを前記扉パネルの正面側で前記取付用開口の縁部周囲に当接させて取り付け固定するハンドル装置において、
前記ケースは、
（１）所定の剛性及び弾性を有するエンジニアリングプラスチックにより成形されて、
（２）前記ケースの周面をなす相互に対向する面にそれぞれ、前記ケースの背面側から前記取付用開口内の所定の位置に立ち上がり、さらに当該位置から前記フランジ側で前記取付用開口外の所定の位置に向けて延び、先端に前記取付用開口の縁部に係止可能な断面略Ｌ字形の係合部を有するケースロック部材が形成され、
（３）前記ケースを前記取付用開口に挿入し、前記ケースのフランジを前記取付用開口の縁部周囲に当接させることにより、前記ケースロック部材が前記取付用開口の縁部により加圧変形されるとともに、前記取付用開口の縁部が前記ケースロック部材の先端で前記略Ｌ字形の係合部と前記フランジとの間に挟持され、この状態が、前記ケースロック部材の前記取付用開口に対する反力により固定される、
ことを要旨とする。
【０００７】
そして、この場合、次の各部に次のような構成が選択的に採用される。
（４）ケースロック部材の先端に、複数の断面略Ｌ字形の係合部が略階段状に連続して形成され、ケースが取付用開口に固定されるときの前記各係合部の立ち上がり部とフランジとの間に、扉パネルの異なる複数の厚さに対応する寸法が設定される。
（５）ハンドルは、ケースに前記ケースから所定の起立位置まで突出回動可能に取り付けられ、前記ケースに前記ハンドルの回動端が係脱可能に設けられた押しボタン式のストッパーにより、前記ケース内の所定の倒伏位置に保持される。
【発明の効果】
【０００８】
本発明のハンドル装置では、この装置を扉パネルに取り付ける場合、扉パネルに形成した取付用開口にケースをケースの背面側から挿入するとともに、ケースのフランジを扉パネルの正面側で取付用開口の縁部周囲に当接させることにより、ケースロック部材を取付用開口の縁部により加圧変形するとともに、取付用開口の縁部をケースロック部材の先端で略Ｌ字形の係合部とフランジとの間に挟持し、この状態を、ケースロック部材の取付用開口に対する反力により固定するので、扉パネルの取付用開口にケースを挿入し、ケースのフランジを扉パネルの正面に当接させるだけで、この装置を扉パネルの取付用開口に確実に取り付け固定することができる。したがって、このハンドル装置を、扉パネルに、ねじを使用することなしに、ワンタッチ装着することができ、取付作業の大幅な向上を図ることができる。
【発明を実施するための最良の形態】
【０００９】
次に、本発明の一実施の形態について図を用いて説明する。図１乃至図６にハンドル装置及びその取付構造を示している。図１及び図２に示すように、ハンドル装置１は、正面２１に開口２１０、正面２１の外周にフランジ２１１を有し、扉パネルに固着されるケース２と、このケース２内にケース２に対して起伏回動可能に装着されるハンドル３と、ケース２の背面２２側に回転可能に軸支されるとともにハンドル３に作動連結されて、ハンドル３の操作により、ボックス本体などの固定枠体側の受け金に対して係脱可能な止め金５とを備え、このハンドル装置１の場合、ケース２に設けられた押しボタン式のストッパー４の操作により、ケース２からハンドル３が所定の起立位置へ突出回動され、このハンドル３の動きに連動してケース２の背面２２側の止め金５が固定枠体側の受け金から離脱される形式が採用される。そして、このハンドル装置１を扉パネルに取り付ける場合、扉パネルに取付用開口を形成し、当該取付用開口にケース２をケース２の背面２２側から挿入するとともに、ケース２のフランジ２１１を扉パネルの正面側で取付用開口の縁部周囲に当接させて取り付け固定するようになっている。以下、このハンドル１装置の各部、及び扉パネルに対する取付構造について詳述する。
【００１０】
図１に示すように、ケース２は、所定の剛性及び弾性を有するエンジニアリングプラスチックにより、この場合、ポリアミド系樹脂、特にＰＡ６により一体成形され、正面２１、背面２２、上面２３、下面２４、及び両側面２５、２５の６面を有する縦長の略箱形に形成され、正面２１、背面２２、及び周面（この場合、左右両側面２５、２５の上下部）に次のような構成を併せて備える。図１及び図４に示すように、正面２１に開口２１０が形成され、正面２１の外周にフランジ２１１が形成される。図３及び図４に示すように、背面２２の上部中央に後述する操作突子３２を挿通するための略Ｔ字形の挿通部２２０が形成され、その両側に近接して対称的に止め金５を枢支するための円形のボス部２２１、２２１が背面２２の外側面から後方に向けて突出形成される。これらのボス部２２１、２２１にはねじ穴が切られる。背面２２の内側面の上下方向中間部で後述するハンドル３の背面の回動端側端部に対向する位置に、錠前収容部２２２が略筒状に形成される。この錠前収納部２２２に錠前ユニット２６が埋設固定される。背面２２の下部中央に開口２２３が略矩形状に形成される。図１及び図４に示すように、ケース２の周面で相互に対向する２面、この場合、上面２３及び下面２４の左右両側で、左右両側面２５、２５の上下部にそれぞれ、ケースロック部材２７、２７、２７、２７が形成される。これらのケースロック部材２７、２７、２７、２７はそれぞれ、ケース２の左右両側面２５、２５の上下部で、背面２２側の縁部から扉パネルに形成される取付用開口の開口内となる所定の位置（高さ）に立ち上がり、この位置からさらにフランジ２１１側で当該取付用開口の開口外となる所定の位置（高さ）に向けて延びる略Ｊ字形形状又は略Ｌ字形形状に形成され、先端に当該取付用開口の縁部に係止可能な断面略Ｌ字形の係合部２８を有する。この場合、ケースロック部材２７の先端には、図５に示すように、複数の係合部２８、２８が略階段状に連続して形成され、ケース２が取付用開口に固定されるときの各係合部２８の立ち上がり部２８１とフランジ２１１との間に、扉パネルの異なる複数の厚さに対応する寸法が設定され、また、各係合部２８（の断面略Ｌ字形）に取付用開口の縁部に係止可能に適宜の向き、角度が付けられる。このようにして、図１に示すように、ケース２の正面開口２１０から、ケース２内部の上部側にハンドル３が装着され、ケース２内部の下部に押しボタン式のストッパー４が取り付けられる。そして、このケース２は扉パネルに形成した取付用開口に挿入され、ケース２のフランジ２１１が当該取付用開口の縁部周囲に当接されて取り付けられる。なお、後述するとおり、このケース２は各ケースロック部材２７の反力により固定されるため、各ケースロック部材２７の上記各所定の位置（高さ）は、各ケースロック部材２７にケース２を取付用開口に固定するのに十分な反力が得られるように設定されることになる。
【００１１】
図１及び図４に示すように、ハンドル３は、亜鉛合金又はステンレスにより、ケース２の正面開口２１０の上部側に一体的に嵌合可能に縦長の板状に形成され、その背面で枢支側の端部、この場合、背面上部の幅方向中央に、先端に軸挿通穴３０を有する軸挿通部３１が背面と直角に突状に形成され、さらにこの軸挿通部３１の縁部にハンドル３に対して所定の角度で延びる操作突子３２が形成される。また、ハンドル３の回動端側の端部、この場合、ハンドル３下部の幅方向中央に、ケース２内の錠前収納部２２２に対向して錠前ユニット２６の鍵穴を臨む貫通穴３３が穿たれるとともに、ハンドル２の背面側でこの貫通穴３３の周囲に錠前収納部２２２に嵌合可能な筒形形状部３４が形成される。さらに、ハンドル３の下端には、ストッパー４に係合可能に係止段部３５が形成されるとともに、この係止段部３５の内側にストッパー４を上から押圧して下方向に回動変位させるための斜めのガイド面３６が形成される。このハンドル３は、ケース２の正面開口２１０からケース２内部の上部側に嵌め込まれて、操作突子３２がケース背面２２の挿通部２２０に通される。そして、ケース２の上部側で一方の側面２５から他方の側面２５に枢軸３７が挿着されてハンドル３の軸挿通穴３０に通されるとともに、この枢軸３７１上にコイルスプリング３８が巻き付けられて、一端をケース２の背面２２に係止され、他端をハンドル３の背面に係止される。このようにしてハンドル３はケース２内にケース２の開口２１０から所定の起立位置まで回動付勢されて取り付けられる。
【００１２】
図１及び図４に示すように、押しボタン式のストッパー４は、亜鉛合金又はステンレスにより、ケース２の正面開口２１０の下部に一体的に嵌合可能な略矩形の板状に、かつ一端（この場合、下端）がケース２の内部に少し入り込む突状に形成され、また、背面に一対のアーム４１、４１が突出されて、その突出端に軸挿通穴４２、４２が穿たれる。このストッパー４は、一対のアーム４１、４１をケース２内部に差し込んで、ケース２の正面開口２１０の下部に嵌め込まれる。そして、ケース２の下部で一方の側面２５から他方の側面２５に枢軸４３が挿着されてストッパー４の各アーム４１、４１の軸挿通穴４２、４２に通されるとともに、この枢軸４３上にコイルスプリング４４が巻き付けられて、一端をケース２の背面２２（この場合、下部開口２２３の上縁部）に係止され、他端をストッパー４の背面の下部に係止される。なお、この場合、ストッパー４側のコイルスプリング４４はハンドル３側のコイルスプリング３８よりもばね力の強いものが使用される。このようにして押しボタン式のストッパー４はケース２の下部開口２１０に下部方向に、ケース２の内部に少し入り込むように、回動可能に枢支されるとともに、ストッパー４の下端部がケ−ス２の開口２１０内面に当接されることによりストッパー４の開口２１０からの飛び出しを阻止されて、ハンドル３の回動端が係脱可能に取り付けられる。これにより、ハンドル３をケース２の開口２１０に対して所定の起立位置からケース２の開口２１０に向けて押し戻すことにより、ハンドル３の回動端、すなわちハンドル３下端のガイド面３６がストッパー４の上端部に当たりストッパー４を下方に回動変位させていき、ハンドル３下端がストッパー４の上端部を乗り越えると、ストッパー４が元の位置に弾性復帰すると同時にハンドル３下端の係止段部３５とストッパー４の上端部が係合し、ストッパー４側のコイルスプリング４４がハンドル３側のコイルスプリング３８よりもばね力が強いため、ハンドル３がケース２内（の所定の倒伏位置）に保持される。そして、この状態から、ストッパー４の正面下部を押すと、ストッパー４が下方に回動変位して、ハンドル３下端の係止段部３５とストッパー４の上端部との係合が解除され、ハンドル３はケース２内から所定の起立位置まで突出回動される。
【００１３】
図２に示すように、止め金５は、鉄又はステンレスからプレス加工（打ち抜き加工）により一体に成形され、略台形の上部５１と、横方向に長い略長方形の下部５２とを有し、その略中央に受動穴５３が概ね横向きのだるま形に形成され、その一側方に近接してケースの２（一方の）ボス部２２１に対応する円形の軸穴５６が形成される。なお、受動穴５３は、軸穴５６側の一方の穴５４がハンドル３がケース２内に保持されるときに操作突子３２が上方向の回動により当接し係合する上縁係合部５４１、及びハンドル３がケース２から突出回動するときに操作突子３２が下方向の回動により当接する下縁係合部５４２を有する略円弧状に形成され、他方の穴５５がケース２の（他方の）ボス部２２１を通し、このボス部２２１に係合して止め金５の回転を案内する円弧状に形成される。この止め金５は軸穴５６にケース２の背面２２の一方のボス部２２１が通され、受動穴５３の一方の穴５４に操作突子３２が通され、他方の穴５５に他方のボス部２２１が通され、各ボス部２２１、２２１に座金５７、５７を介してねじ５８、５８が締め込まれて、ケース２の背面２２に取り付けられる。なお、一方のボス部２２１とねじ５８とにより第１の軸５９１をなし、他方のボス部２２１とねじ５８とにより第２の軸５９２をなす。このようにしてハンドル３がケース２内（の所定の倒伏位置）に保持されていると、操作突子３２は止め金５の受動穴５３の上縁係合部５４１に係合して上方の回動位置に停止され、止め金５を第１の軸５９１を回転中心として水平に向けて固定する。この状態から、ハンドル３をケース２内から所定の起立位置に突出回動すると、操作突子３２は止め金５の受動穴５３の下縁係合部５４２を下方に押し、止め金５を第１の軸５９１を回転中心として、また第２の軸５９２と受動穴５３の他方の穴５５との係合案内により下方へ回転する。なお、このとき、第１、第２の各軸５９１、５９２の座金５７、５７は止め金５の浮き上がりを阻止する手段となる。そして、この状態から、ハンドル２をケース２内に押し戻すと、操作突子３２は受動穴５３の上縁係合部５４１に係合し、この上縁係合部５４１を上方に押して、止め金５が第１の軸５９１を回転中心として上方へ回転し、水平に向けて固定される。なお、この止め金５は左右兼用型なので、左右の使い勝手の異なる扉パネルにも直ちに対応することができる。
【００１４】
このようにしてハンドル装置１が構成され、このハンドル装置１は扉パネルに次のようにして取り付けられる。図６に示すように、まず、扉パネル６にハンドル装置１の取付用開口６０を形成する。なお、このハンドル装置１の場合、扉パネル６にねじ穴や透孔は不要である。扉パネル６にハンドル装置１の取付用開口６０を形成したら、この取付用開口６０にハンドル装置１をケース２の背面２２側から挿入するとともに、ケース２のフランジ２１１を扉パネル６の正面側で取付用開口６０の縁部６１周囲に当接させる。これにより、ケースロック部材２７は取付用開口６０の縁部６１により加圧変形されるとともに、取付用開口６０の縁部６１をケースロック部材２７の先端で略Ｌ字形の係合部２８とフランジ２１１との間に挟持して、この状態が、ケースロック部材２７の取付用開口６０に対する反力により固定される。そして、このとき、ケースロック部材２７の先端に、複数の略Ｌ字形の係合部２８、２８が略階段状に連続して形成され、ケース２が取付用開口６０に固定されるときの各係合部２８、２８の立ち上がり部２８１、２８１とフランジ２１１との間に、扉パネル６の異なる複数の厚さ（板厚）ｔ１、ｔ２、ｔ３に対応する寸法が設定され、また、各係合部２８に取付用開口６０の縁部６１に係止可能に適宜の向き、角度が付けられているので、取付用開口６０の縁部６１が当該縁部６１の厚さｔ１、ｔ２、ｔ３に対応する係合部２８とフランジ２１１との間に確実に挟持され、各ケースロック部材２７の適宜の反力により、ケース２は確実に固定される。これにより、ハンドル装置１は扉パネル６の取付用開口６０にがたつくことなく確実に取り付けられる。
【００１５】
そして、このハンドル装置１では、次のようなハンドル操作により、扉（扉パネル６）側の止め金５をボックス本体などの固定枠体側に取り付けられた受け金（図示省略）に対して係合又は係合を解除して、扉を固定枠体に施錠又は解錠する。図４（ａ）に示すように、通常、ハンドル３はケース２内（の所定の倒伏位置）に押し込まれ、ハンドル３下端の係止段部３５が押しボタン式のストッパー４の上端に係止されて、ケース２内に保持される。このとき、ケース２内で背面２２の錠前収納部２２２がハンドル２の背面の筒形形状部３４に嵌合された状態となり、また図２に示すように、ケース２の背面２２の外側で操作突子３２が止め金５の受動穴５３の上縁係合部５４１に係合し、止め金５が第１の軸５９１を回転中心として水平に向けて固定され、これが固定枠体側の受け金に係合して、扉パネル６を閉鎖状態に施錠する。扉パネル６を固定枠体から開く場合は、押しボタン式のストッパー４の正面下部を押す。これにより、図４（ｂ）に示すように、ストッパー４はケース２の開口２１０上で下方に回動変位し、ハンドル３下端の係止段部３５とストッパー４の上端部との係合が解除されて、ハンドル３がケース２内から所定の起立位置まで突出回動する。このハンドル３の回動により、操作突子３２は止め金５の受動穴５３の下縁係合部５４２を下方に押し、図２に示すように、止め金５が第１の軸５９１を回転中心として下方へ回転され、固定枠体側の受け金との係合を解除して、扉パネル６を解錠する。そして、この状態から扉パネル６を閉める場合は、ハンドル３をケース２内に押し戻す。これにより、図４（ａ）に示すように、ハンドル３の回動端、すなわちハンドル３下端のガイド面３６がストッパー４の上端部に当たりストッパー４を下方に回動変位させながら、ハンドル３下端がストッパー４の上端部を乗り越えると、ストッパー４が元の位置に弾性復帰すると同時にハンドル３下端の係止段部３５とストッパー４の上端部が係合し、ハンドル３が、ハンドル３の背面の筒形形状部３４にケース２内の錠前収納部２２３が嵌合されて、ケース２内に保持されるとともに、このハンドル３の動作に連動して、操作突子３２がケース２の背面２２の止め金５の受動穴５３の上縁係合部５４１に係合し、図２に示すように、止め金５が第１の軸５９１を回転中心として水平に向けて固定され、これが固定枠体側の受け金に係合して、扉パネル６を再び閉鎖状態に施錠する。
【００１６】
以上説明したように、このハンドル装置１によれば、ケース２を、所定の剛性及び弾性を有するエンジニアリングプラスチック（この場合、ポリアミド系樹脂、特にＰＡ６）により成形して、ケース２の左右両側面２５、２５の上下部にそれぞれ、ケース２の背面２２側から取付用開口６０内となる所定の位置に立ち上がり、さらにこの位置からフランジ２１１側で取付用開口６０外となる所定の位置に向けて延び、先端に取付用開口６０の縁部６１に係止可能な断面略Ｌ字形の係合部２８を有するケースロック部材２７を形成し、ケース２を取付用開口６０に挿入し、ケース２のフランジ２１１を取付用開口６０の縁部６１周囲に当接させることにより、ケースロック部材２７を取付用開口６０の縁部６１により加圧変形させるとともに、取付用開口６０の縁部６１をケースロック部材２７の先端で略Ｌ字形の係合部２８とフランジ２１１との間に挟持して、この状態を、ケースロック部材２７の取付用開口６０に対する反力により固定するので、扉パネル６の取付用開口６０にケース２を挿入し、ケース２のフランジ２１１を扉パネル６の正面に当接させるだけで、この装置１を扉パネル６の取付用開口６０に確実に取り付け固定することができる。したがって、このハンドル装置１を、扉パネル６に、ねじを使用することなしに、ワンタッチ装着することができ、取付作業の大幅な向上を図ることができる。
【００１７】
また、このハンドル装置１では、ケースロック部材２７の先端に、複数の断面略Ｌ字形の係合部２８、２８を略階段状に連続して形成し、ケース２を取付用開口６０に固定するときの各係合部２８、２８の立ち上がり部２８１、２８１とフランジ２１１との間に、扉パネル６の異なる複数の厚さに対応する寸法を設定し、また、各係合部２８に取付用開口の縁部を係止可能に適宜の向き、角度を付け、取付用開口６０の縁部６１をその板厚に対応する係合部２８とフランジ２１１との間に確実に挟持して、各ケースロック部材２８の適宜の反力により固定するので、このハンドル装置１を板厚の異なる各種の扉パネル６に確実に取り付けることができる。
【００１８】
なお、この実施の形態では、ケース２の左右両側面２５、２５の上下部にそれぞれケースロック部材２７を設けたが、ケース２の上下各面２３、２４にケースロック部材２７を１つだけ又は２つ以上設けてもよく、また、上下一方の面２３又は２４にケースロック部材２７を１つ、他方の面２４又は２３にケースロック部材２７を２つ以上設けてもよく、さらに、ケース２の上下各面２３、２４に代えて左右各面２５、２５、又は上下左右各面２３、２４、２５、２５に設けてもよく、ケースロック部材２７の設置数及び設置箇所は適宜変更し得る。
【００１９】
また、この実施の形態では、ケースロック部材２７の先端に複数の係合部２８、２８を設けたが、一定の板厚の扉パネル専用に係合部２８を１つだけ設けても勿論かまわない。
【００２０】
さらに、この実施の形態では、押しボタン式のストッパー４の操作により、ハンドル３を所定の起立位置へ突出回動させて、止め金を回転させる形式のハンドル装置１を、扉パネル６の取付用開口６０に取り付け固定する場合について例示したが、ハンドルを所定の起立位置へ突出回動させた後、ハンドルの回転操作により、止め金を回転させる形式のハンドル装置でも、ケースに同様にしてケースロック部材を備えることにより、扉パネルに対して、上記と同様の取付構造により取り付けることができ、同様の作用効果を奏することができる。
【図面の簡単な説明】
【００２１】
【図１】（ａ）本発明の一実施の形態におけるハンドル装置の平面図（ｂ）同ハンドル装置の正面図（ｃ）同ハンドル装置の側面図
【図２】同ハンドル装置の、背面に止め金が取り付けられている状態の背面図
【図３】同ハンドル装置の、背面に止め金が取り付けられていない状態の背面図
【図４】（ａ）同ハンドル装置の、ハンドルがケースに押し込まれて保持された状態を示す側面断面図（ｂ）同ハンドル装置の、ハンドルがケースから突出回動された状態を示す側面断面図
【図５】同ハンドル装置の、特にケースロック部材の構成を示す部分拡大側面図
【図６】同ハンドル装置の、特にケースロック部材の作用を示す部分拡大側面図
【符号の説明】
【００２２】
１  ハンドル装置
２  ケース
２１  正面
２１０  開口
２１１  フランジ
２２  背面
２２０  挿通部
２２１  ボス部
２２２  錠前収容部
２２３  開口
２３  上面
２４  下面
２５  側面
２６  錠前ユニット
２７  ケースロック部材
２８  係合部
２８１  立ち上がり部
３  ハンドル
３０  軸挿通穴
３１  軸挿通部
３２  操作突子
３３  貫通穴
３４  筒形形状部
３５  係止段部
３６  ガイド面
３７  枢軸
３８  コイルスプリング
４  押しボタン式のストッパー
４１  アーム
４２  軸挿通穴
４３  枢軸
４４  コイルスプリング
５  止め金
５１  上部
５２  下部
５３  受動穴
５４  一方の穴
５４１  上縁係合部
５４２  下縁係合部
５５  他方の穴
５６  軸穴
５７  座金
５８  ねじ
５９１  第１の軸
５９２  第２の軸
６  扉パネル
６０  取付用開口
６１  縁部
【図１】
2010013860.tif 000003
【図２】
2010013860.tif 000004
【図３】
2010013860.tif 000005
【図４】
2010013860.tif 000006
【図５】
2010013860.tif 000007
【図６】
2010013860.tif 000008